(57)【特許請求の範囲】
【請求項１】
シャフトの周囲に配列された複数のシリンダボア内に挿入された複数個のピストンと、前記ピストンを収容するハウジングと、前記ハウジング内に形成されたクランク室と、前記シャフトに取り付けられて共に回転することによりピストンを往復運動させる斜板と、前記ピストンによって前記シリンダボア内に区画される圧縮室と、前記圧縮室から吐出された冷媒ガスが導入される吐出圧領域と、前記圧縮室に吸入される冷媒ガスが導入される吸入圧領域とを備えた斜板型圧縮機において、
少なくとも前記シャフトの一部に形成された冷媒流通路と、
吸入行程にある各シリンダボアと前記吸入圧領域とを順次連通する吸入通路を備え前記シャフトと一体的に回転するロータリーバルブと、
前記冷媒流通路上に設けられ前記シャフトの回転に伴い冷媒ガス中に混在するオイルを該冷媒ガスから遠心分離するために、前記冷媒流通路中の冷媒ガスの流れに対して、前記冷媒流通路が上流側に比較して下流側ほど拡径する形状を有したオイルセパレータと、
前記遠心分離されたオイルをロータリーバルブとハウジングとの摺動面に供給する供給通路と
を備えたことを特徴とする斜板型圧縮機。
【請求項２】
シャフトの周囲に配列された複数のシリンダボア内に挿入された複数個のピストンと、前記ピストンを収容するハウジングと、前記ハウジング内に形成されたクランク室と、前記シャフトに取り付けられて共に回転することによりピストンを往復運動させる斜板と、前記ピストンによって前記シリンダボア内に区画される圧縮室と、前記圧縮室から吐出された冷媒ガスが導入される吐出圧領域と、前記圧縮室に吸入される冷媒ガスが導入される吸入圧領域とを備えた斜板型圧縮機において、
少なくとも前記シャフトの一部に形成された冷媒流通路と、
吸入行程にある各シリンダボアと前記吸入圧領域とを順次連通する吸入通路を備え前記シャフトと一体的に回転するロータリーバルブと、
前記冷媒流通路上に設けられ前記シャフトの回転に伴い冷媒ガス中に混在するオイルを該冷媒ガスから遠心分離する形状を有したオイルセパレータと、
前記遠心分離されたオイルをロータリーバルブとハウジングとの摺動面に供給する供給通路とを備え、前記供給通路は、前記冷媒流通路中の冷媒ガスの流れに対して前記オイルセパレータよりも下流側に設けられていることを特徴とする斜板型圧縮機。
【請求項３】
前記供給通路が、前記導通路と連通することによって、前記遠心分離されたオイルがピストンとシリンダボアとの間に供給されることを特徴とする請求項１または２に記載の斜板型圧縮機。
【請求項４】
前記冷媒流通路は抽気通路を形成していることを特徴とする請求項１〜３のいずれか一項に記載の斜板型圧縮機。
【請求項５】
前記吸入通路が前記供給通路を兼ねていることを特徴とする請求項１〜４のいずれか一項に記載の斜板型圧縮機。
【発明の詳細な説明】
【０００１】
【発明の属する技術分野】
本発明は、車両用空調装置に用いられる斜板型圧縮機に係り、特にそのロータリーバルブの摺動面へのオイル供給技術に関するものである。
【０００２】
【従来の技術】
従来より、この種の圧縮機では、冷媒ガスが圧縮機内を潤滑するという構成が多く採用されている。例えば、特開平７−１８９９０２号公報に開示されるクラッチレス片側ピストン式可変容量圧縮機では、回転軸の周囲に配列された複数のシリンダボア内に片頭ピストンを往復直線運動可能に収容するハウジング内の回転軸に回転支持体を止着し、この回転支持体に斜板を傾動可能に支持し、吐出圧領域の圧力をクランク室に供給すると共に、クランク室の圧力を吸入圧領域に放出してクランク室内の調圧を行なう構成になっている。片頭ピストンによって各シリンダボア内に区画される圧縮室に冷媒ガスを供給するための吸入冷媒供給通路をロータリーバルブに形成している。ロータリーバルブの吸入冷媒供給通路はロータリーバルブの回転に伴って複数の圧縮室に順次連通する。この連通は圧縮室に対する片頭ピストンの吸入動作に同期して行なわれる。吸入冷媒供給通路と圧縮室とが連通している時にピストンが下死点側へ向かい、圧縮室の圧力が吸入冷媒供給通路の圧力以下まで低下していく。この圧力低下により吸入冷媒供給通路の冷媒ガスが圧縮室へ流入する。
【０００３】
【発明が解決しようとする課題】
しかしながら、特開平７−１８９９０２号公報に開示された構成では、ロータリーバルブの外周面とハウジング（シリンダブロック）の内周面との間からシリンダボアで圧縮されている冷媒ガスが漏れ出し、圧縮効率が低下するという問題があった。
【０００４】
本発明の目的は、冷媒ガス中に含まれるオイルを遠心分離し、その分離オイルをロータリーバルブとハウジングとの摺動面、すなわちロータリーバルブのクリアランス部に供給することによってシール性を向上させることができる斜板型圧縮機を提供することを目的とする。
【０００５】
【課題を解決するための手段】
上記目的を達成するために、請求項１及び請求項２に記載の発明は、斜板型圧縮機において、少なくとも前記シャフトの一部に形成された冷媒流通路と、吸入行程にある各シリンダボアと前記吸入圧領域とを順次連通する吸入通路を備え前記シャフトと一体的に回転するロータリーバルブと、前記冷媒流通路上に設けられ前記シャフトの回転に伴い冷媒ガス中に混在するオイルを該冷媒ガスから遠心分離する形状を有したオイルセパレータと、前記遠心分離されたオイルをロータリーバルブとハウジングとの摺動面に供給する供給通路とを備えている。
【０００６】
この発明によれば、冷媒流通路を流れる冷媒ガスがオイルセパレータを通過する際、シャフト及びロータリーバルブの一体回転に伴って回転する該オイルセパレータによって、冷媒ガスに混在するオイルは該冷媒ガスから遠心分離される。その遠心分離されたオイルは、ロータリーバルブとハウジングとの摺動面に供給される。従って、例えば、シャフト及びロータリーバルブの高速回転によって前記摺動面に生じる焼きつき及びロータリーバルブのクリアランス部からのガス漏れを防ぐことが可能となり、シール性が向上する。ひいては斜板型圧縮機の性能向上となる。
【０００７】
とくに請求項１に記載の発明は、前記オイルセパレータは、前記冷媒流通路中の冷媒ガスの流れに対して、前記冷媒流通路が上流側に比較して下流側ほど拡径する形状に形成されたものであることを要旨とする。
【０００８】
この発明によれば、オイルセパレータの内周面に付着したオイルは、シャフト及びロータリーバルブの回転時に、遠心力によってオイルセパレータの拡径された側へ移動する。例えば、オイルの出口がこのオイルセパレータの拡径された側に形成されている場合は、この出口からオイルがオイルセパレータの外部に排出されやすくなる。
【００１１】
とくに請求項２に記載の発明は、前記供給通路は、前記冷媒流通路中の冷媒ガスの流れに対して前記オイルセパレータよりも下流側に設けられていることを要旨とする。
【００１２】
この発明によれば、供給通路は、冷媒流通路中の冷媒ガスの流れに対して、オイルセパレータの下流側に位置している。このため、前記遠心分離されたオイルがオイルセパレータの外部に排出されやすくなり、供給通路に供給されやすくなる。
【００１３】
請求項３に記載の発明は、請求項１または２に記載の発明において、前記供給通路が、前記導通路と連通することによって、前記遠心分離されたオイルがピストンとシリンダボアとの間に供給されるようにしたことを要旨とする。
この発明によれば、シャフト及びロータリーバルブの回転に伴って、ロータリーバルブに設けられた供給通路が導通路と順次連通し、前記供給通路及び導通路を介して、遠心分離されたオイルがピストンとシリンダボアとの間に供給される。これにより、ピストンとシリンダボアとの摺動面であるサイドクリアランス部でのガス漏れを防ぐことが可能となり、シール性が向上する。ひいては斜板型圧縮機の性能向上となる。
請求項４に記載の発明は、請求項１〜３のいずれか一項に記載の発明において、前記冷媒流通路は抽気通路を形成していることを要旨とした。
この発明によれば、クランク室と吸入室とを連通している冷媒流通路は、抽気通路として冷媒ガスを導入している。これにより、抽気通路上にオイルセパレータを設けることが可能となる。
【００１４】
請求項５に記載の発明は、請求項１〜４のいずれか一項に記載の発明において、前記吸入通路が前記供給通路を兼ねていることを要旨とする。
この発明によれば、吸入通路が遠心分離されたオイルを供給する供給通路の役目を兼ねている。
【００１５】
【発明の実施の形態】
以下、本発明を車両用空調装置に用いられる斜板型圧縮機に具体化した一実施形態を図１〜図３に従って説明する。
【００１６】
図１に示すように、フロントハウジング１１はシリンダブロック１２の前端に接合されている。リヤハウジング１３は、シリンダブロック１２の後端に弁・ポート形成体１４を介して接合されている。フロントハウジング１１、シリンダブロック１２及びリヤハウジング１３は、通しボルト１１ａ（図２参照）によって締結固定され、圧縮機のハウジングを構成している。なお、図１の左方を圧縮機の前方とし、右方を後方とする。
【００１７】
弁・ポート形成体１４は、バルブプレート１４ａの後面に吐出弁形成板１４ｂが、吐出弁形成板１４ｂの後面にリテーナ形成板１４ｃがそれぞれ重合された状態に形成されている。弁・ポート形成体１４は、バルブプレート１４ａの前面においてシリンダブロック１２に接合されている。
【００１８】
クランク室１５は、フロントハウジング１１とシリンダブロック１２との間に区画形成されている。シャフト１６はクランク室１５を貫通するように配置され、フロントハウジング１１とシリンダブロック１２との間に回転可能に架設支持されている。シャフト１６の前端部側は、フロントハウジング１１にラジアルベアリング１７を介して支持されている。シリンダブロック１２のほぼ中央部には収容孔１８が貫設され、シャフト１６の後端部は収容孔１８に装備されたラジアルベアリング１９に支持されている。シャフト１６の前端部側には軸封装置２０が設けられている。
【００１９】
複数（図面には二つのみ示す）のシリンダボア１２ａは、シャフト１６を等角度間隔にて取り囲むようにシリンダブロック１２に形成されている。片頭型のピストン２１は、各シリンダボア１２ａに往復動可能に収容されている。シリンダボア１２ａの前後開口は、弁・ポート形成体１４及びピストン２１によって閉塞されており、シリンダボア１２ａ内にはピストン２１の往復動に応じて体積変化する圧縮室２２が区画されている。
【００２０】
ラグプレート２３は、クランク室１５においてシャフト１６に一体回転可能に固定されている。ラグプレート２３はフロントハウジング１１の内壁面１１ｂにスラストベアリング２４を介して当接可能になっている。内壁面１１ｂはピストン２１の圧縮反力による軸荷重を支承し、シャフト１６の前方へのスライド移動を規制する。
【００２１】
斜板２５は、斜板２５に形成された貫通孔にシャフト１６が貫通された状態でクランク室１５内に配設されている。ヒンジ機構２６は、ラグプレート２３と斜板２５との間に介在されている。そして、斜板２５は、ヒンジ機構２６を介したラグプレート２３との間でのヒンジ連結及びシャフト１６の支持により、ラグプレート２３及びシャフト１６と同期回転可能で、かつシャフト１６の軸線方向へのスライド移動を伴いながらシャフト１６に対し傾動可能となっている。ラグプレート２３及びヒンジ機構２６は容量可変機構を構成する。
【００２２】
ピストン２１はシュー２７を介して斜板２５の周縁部に係留されている。従って、シャフト１６の回転に伴う斜板２５の回転運動が、シュー２７を介してピストン２１の往復運動に変換される。
【００２３】
ラグプレート２３、斜板２５、ヒンジ機構２６及びシュー２７は、シャフト１６の回転運動を圧縮室２２内の冷媒ガスを圧縮するための圧縮運動に変換するクランク機構を構成する。
【００２４】
最小傾角規定部２８は、シャフト１６において斜板２５とシリンダブロック１２との間に配設されている。最小傾角規定部２８は、リング状の部材がシャフト１６の外周面に外嵌固定されてなる。斜板２５の最小傾角は、最小傾角規定部２８との当接により規定され、斜板２５の最大傾角は、ラグプレート２３との当接により規定される。
【００２５】
図１に示すようにリヤハウジング１３内には吸入室２９及び吐出室３０が区画形成されている。弁・ポート形成体１４には各シリンダボア１２ａに対応して、吐出ポート３３、及び同ポート３３を開閉する吐出弁３４が形成されている。吐出ポート３３を介して各シリンダボア１２ａと吐出室３０とが連通される。吸入室２９と吐出室３０とは図示しない外部冷媒回路で接続されている。
【００２６】
シリンダブロック１２及びリヤハウジング１３にはクランク室１５と吐出室３０とを連通する給気通路３５が設けられ、給気通路３５の途中には、容量可変機構を構成する制御弁３６が設けられている。制御弁３６は公知の電磁弁からなり、弁室が給気通路３５上に形成され、ソレノイドの励磁により給気通路３５が閉塞され、ソレノイドの消磁により給気通路３５が開放されるようになっている。また、ソレノイドの励磁電流の大きさにより開度が調整可能となっている。なお、制御弁３６は絞り部としても機能する。
【００２７】
シャフト１６の後端部はロータリーバルブ３７を形成している。シャフト１６とロータリーバルブ３７は一体構成であり、シャフト１６の回転に伴いロータリーバルブ３７は一体回転する。シャフト１６及びロータリーバルブ３７には、冷媒流通路３８が掘り込み加工されている。冷媒流通路３８の後端部側、即ちロータリーバルブ３７のほぼ中央部には、冷媒ガス中に混在するオイルを分離するオイルセパレータ３９が冷媒流通路３８上に設けられている。
【００２８】
冷媒流通路３８は、入口３８ａがラジアルベアリング１７より後端部側に形成されている。また後端部側はオイルセパレータ３９を介して拡径され、連通室４１ｂを形成している。連通室４１ｂの後端側と吸入室２９とは、冷媒ガスが流れるように連通している。これにより冷媒流通路３８がクランク室１５と吸入室２９とを連通する抽気通路を構成している。
【００２９】
オイルセパレータ３９は、シャフト１６内に掘り込み加工されている冷媒流通路３８上の後端部側に形成され、冷媒流通路３８の一部をなしている。図１に示すように、オイルセパレータ３９は、クランク室１５から吸入室２９へ至る冷媒ガスの流れに対して上流側を先端側とすると、その流路断面積が後端側ほど大きくなるように傾斜する内周面形状を有している。オイルセパレータ３９の径は前記後端において最も大きくなるように形成されている。
【００３０】
シャフト１６と一体になっているロータリーバルブ３７には、図１に示すように、内部の冷媒流通路３８に連通する連通孔４１ａが形成されている。ここで、シャフト１６及びロータリーバルブ３７が図２に矢視する方向に回転することにより、シリンダボア１２ａの導通路４２が連通孔４１ａと順次連通する。連通孔４１ａと連通室４１ｂとから吸入通路４１が構成される。
【００３１】
吸入通路４１は、シャフト１６に対してオイルセパレータ３７よりも後端部側（下流側。図１において右側）に設けられている。また、導通路４２は、シリンダブロック１２内に形成され、その一端がシリンダボア１２ａに連通し、その他端は吸入通路４１（連通孔４１ａ）に対応する位置に配置されている。ロータリーバルブ３７の回転時は、吸入行程にあるシリンダボア１２ａの導通路４２が吸入通路４１と連通するとともに、圧縮・吐出行程にあるシリンダボア１２ａの導通路４２が吸入通路４１とは連通していない。このとき、ロータリーバルブ３７とシリンダブロック１２との摺動面（シール部位）は気密状態にシールされている。
【００３２】
次に、前記のように構成された圧縮機の作用を説明する。
シャフト１６の回転に伴いラグプレート２３及びヒンジ機構２６を介して斜板２５が一体回転され、斜板２５の回転運動がシュー２７を介して各ピストン２１の往復運動に変換される。この駆動の継続によって圧縮室２２では、冷媒の吸入、圧縮及び吐出が順次繰り返される。外部冷媒回路から吸入室２９に供給された冷媒は、圧縮室２２に吸入され、ピストン２１の移動による圧縮作用を受けた後、吐出ポート３３を介して吐出室３０に吐出される。吐出室３０に吐出された冷媒は吐出通路を経て外部冷媒回路に送り出される。
【００３３】
そして、図示しない制御装置により、制御弁３６の開度、即ち給気通路３５の開度が冷媒負荷に応じて調整され、吐出室３０とクランク室１５との連通状態が変更される。
【００３４】
冷媒負荷が大きい場合は給気通路３５の開度が減少され、吐出室３０からクランク室１５に供給される冷媒ガスの流量が減少する。クランク室１５に供給される冷媒ガスの量が減少すると、冷媒流通路３８等を介した吸入室２９への冷媒ガスの逃がしにより、クランク室１５の圧力が次第に低下する。その結果、クランク室１５の圧力とシリンダボア１２ａの圧力とのピストン２１を介した差が小さくなるため、斜板２５が最大傾斜角側に変位される。従って、ピストン２１のストローク量が増大し、吐出容量が増大される。
【００３５】
逆に、冷媒負荷が小さくなると、制御弁３６の開度が増大され、吐出室３０からクランク室１５に供給される冷媒ガスの流量が増大する。クランク室１５に供給される冷媒ガスの量が、冷媒流通路３８を介した吸入室２９への冷媒ガスの逃がし量を上回ると、クランク室１５の圧力が次第に上昇していく。その結果、クランク室１５の圧力とシリンダボア１２ａの圧力とのピストン２１を介した差が大きくなるため、斜板２５が最小傾斜角側に変位される。従って、ピストン２１のストローク量が減少し、吐出容量が減少される。
【００３６】
冷媒流通路３８を介して吸入室２９側に導入される冷媒ガスのうちオイルセパレータ３９の内周面近傍のものは、該オイルセパレータ３９の回転に伴って随伴旋回される。この旋回により、前記冷媒ガス中に混在するオイルは、前記冷媒ガスから遠心分離される。この分離されたオイルはオイルセパレータ３９の内周面に付着する。この内周面に付着したオイルは、オイルセパレータ３９の内周面に沿って後端側に移動される。そして、このオイルは、オイルセパレータ３９の回転に基づく遠心力などによって、オイルセパレータ３９の外部に排出され吸入通路４１に供給される。前記遠心分離されたオイルは図３に矢視するように移動する。
【００３７】
吸入通路４１中に供給されたオイルは、ロータリーバルブ３７とシリンダブロック１２との間のクリアランス部へ供給される。また、吸入通路４１がシャフト１６及びロータリーバルブ３７の回転に伴い、導通路４２と順次連通することによって、前記オイルはピストン２１とシリンダボア１２ａとの間のサイドクリアランス部に供給される。
【００３８】
オイルセパレータ３９内において前記オイルが分離された冷媒ガスの一部は、連通室４１ｂを介して吸入室２９に導入される。この吸入室２９に導入された冷媒ガス（このガスの前記オイル混在量は少ない）は、圧縮室２２及び吐出室３０を介して前記外部冷媒回路側に排出される。
【００３９】
本実施形態では、以下のような効果を得ることができる。
（１）  ロータリーバルブ３７・シャフト１６一体仕様の内部に設けられたオイルセパレータ３９を用いて冷媒ガスに混在するオイルを分離し、このオイルをロータリーバルブ３７とシリンダブロック１２との間のクリアランス部に供給した。これにより、ロータリーバルブ３７の焼きつきを防止できるとともに、ガス漏れを防止でき、シール性が向上し、ひいては圧縮機の性能が向上する。
【００４０】
（２）  ロータリーバルブ３７の回転によって吸入通路４１と導通路４２を連通させ、オイルセパレータ３９によって分離されたオイルを、前記吸入通路４１及び導通路４２を介して、ピストン２１とシリンダボア１２ａとの間のサイドクリアランス部へ供給した。これにより、ガス漏れを防止でき、シール性が向上し、ひいては圧縮機の性能が向上する。
【００４１】
（３）  シャフト１６内に形成された冷媒流通路３８の一部を利用してオイル分離構造を構築することで、オイル分離構造を追加することによる圧縮機の大型化を防止することができる。
【００４２】
（４）  オイルセパレータ３９の内周面は、冷媒ガスの流れに対して、上流側に比較して下流側ほど内径が大きくなるように傾斜した状態で形成されている。これによれば、オイルセパレータ３９の内周面に付着したオイルは、シャフト１６の回転時に、遠心力によって該オイルセパレータ３９の下流側から外部に排出されやすくなる。
【００４３】
実施の形態は前記に限定されるものではなく、例えば、以下の様態としてもよい。
○  オイルセパレータは、冷媒ガスの流れに対して、その内径が上流側に比較して下流側ほど大きくなるように傾斜した内周面を有するように形成されていなくてもよい。例えば、図４に示すように、オイルを付着させる内周面の内径が上流側から下流側まで一定になるように設定されていてもよい。このオイルセパレータ５０は、前記内周面の内径が前記実施形態のオイルセパレータ３９の内周面の最大内径よりも大きく設定されている。従って、回転時の周速度がより大きくなり、遠心分離効果が向上する。
【００４４】
○  吸入通路は、シャフトに対してオイルセパレータよりも後端部側に設けられなくてもよい。例えば、図５に示すように、吸入通路４１はシャフト１６に対してオイルセパレータ３９と同位置または上流側に設けられていてもよい。このように構成しても、遠心分離されたオイルは吸入通路４１に供給させることができる。
【００４５】
○  供給通路と吸入通路とを別々に設けてもよい。例えば、図６に示すように、吸入通路４１とは別に、分離オイルを供給するための通路として供給通路４３をシリンダブロック１２及びロータリーバルブ３７に設けてもよい。このように構成しても、遠心分離されたオイルは供給通路４３からロータリーバルブ３７とシリンダブロック１２との間、及びピストン２１とシリンダボア１２ａとの間に供給することができる。
【００４６】
○  図６では、供給通路４３を導通路４２の途中に接続させたが、シリンダボア１２ａに直接接続させてもよい。
○  前記実施形態では、吸入室２９をリヤハウジング１３中に設けたが、吸入室２９を設けず、直接連通室４１ｂに冷媒を導入してもよい。この場合、連通室４１ｂが吸入圧領域となる。
【００４７】
○  前記実施形態では、冷媒流通路３８をシャフト１６中に設けたが、冷媒流通路３８はシャフト１６の外周に形成された溝として設けてもよい。
○  オイルセパレータは、側断面形状がテーパ状であることに限定されない。
【００４８】
○  ロータリーバルブは、シャフト一体構成に限定されない。ロータリーバルブは、シャフトに組付けた別部品であってもよい。
○  ワッブルタイプの可変容量型圧縮機において具体化するようにしてもよい。
【００４９】
次に、前記各実施形態から把握できる請求項に記載した発明以外の技術的思想について、それらの効果とともに以下に記載する。
（イ）  請求項２に記載の発明において、前記オイルセパレータは、その流路断面積が上流側よりも下流側の方が大きくなる空間を有する。この構成によれば、上流側に比べ下流側の方がより大きな遠心力を得ることができ、冷媒ガス中のオイルを遠心分離しやすくなる。
【００５０】
（ロ）  請求項３に記載の発明において、前記オイルセパレータは、冷媒流通路中の冷媒ガスの流れに対し上流側から下流側に至るにつれて、冷媒流通路が徐々に拡径するように形成されている。この構成によれば、シャフト及びロータリーバルブの一体回転によって遠心分離されたオイルは、前記オイルセパレータの内周面に沿って徐々に拡径された側へ移動する。移動したオイルは前記オイルセパレータの外部に排出されやすくなる。
【００５１】
（ハ）  請求項３に記載の発明において、前記オイルセパレータは、冷媒流通路中の冷媒ガスの流れに対し上流側から下流側に至るにつれて、前記シャフトが回転する中心軸線から、より離れる方向へ拡径している。この構成によれば、上流側に比べ下流側の方が、シャフトの回転する中心軸線から離れているため、より大きな遠心力を得ることができ、冷媒ガス中のオイルを遠心分離しやすくなる。
【００５２】
【発明の効果】
以上詳述したように、請求項１〜５に記載の発明によれば、斜板型圧縮機において、冷媒ガス中に含まれるオイルをオイルセパレータによって遠心分離し、その分離オイルを、ロータリーバルブとハウジングとの摺動面に供給することによってシール性が向上し、圧縮機の性能を向上させることができる。
【図面の簡単な説明】
【図１】一実施形態の圧縮機における図２のＢ−Ｂ線断面概略図。
【図２】図１のＡ−Ａ線断面図。
【図３】図１の圧縮機の要部を示す拡大断面図。
【図４】別例の圧縮機の要部を示す拡大断面図。
【図５】別例の圧縮機の要部を示す拡大断面図。
【図６】別例の圧縮機の要部を示す拡大断面図。
【符号の説明】
１１…ハウジングを構成するフロントハウジング、１２…同じく構成するシリンダブロック、１３…同じくリヤハウジング、１５…クランク室、１６…シャフト、２１…ピストン、２２…圧縮室、２５…斜板、２９…吸入室、３０…吐出室、３７…シャフトと一体構成となっているロータリーバルブ、３８…冷媒流通路、３９…オイルセパレータ、４１…供給通路を兼ねた吸入通路、４２…導通路。
【図１】
0003896822.tif 000002
【図２】
0003896822.tif 000003
【図３】
0003896822.tif 000004
【図４】
0003896822.tif 000005
【図５】
0003896822.tif 000006
【図６】
0003896822.tif 000007